(57)【要約】      （修正有）【課題】回転工具の駆動ヘッドに装着され、組立孔が駆動ヘッドと異なる規格寸法のロック工具を接続することができる駆動用継手を提供する。【解決手段】駆動用継手は、本体１及び弾性リテーナーリング２を含む。本体は、軸方向に沿って接続された嵌着部１１、挿設部１２及びボス１４を含み、嵌着部には軸方向に沿って四角柱状の嵌着孔が設けられ、嵌着孔は回転工具の駆動ヘッドに嵌着され、挿設部は、軸方向に延びる四角柱部材であり、挿設部の径方向寸法は嵌着孔の径方向寸法と異なり、挿設部はロック工具に挿着され、挿設部の嵌着部から離れた一端には軸方向に沿ってボスが設けられ、ボスの径方向にはリング溝が凹設される。弾性リテーナーリングは、リング溝に嵌着され、径方向に切り欠きが設けられる。【選択図】図１
0003230444.tif 000002
【実用新案登録請求の範囲】
【請求項１】
回転工具の駆動ヘッドに用いられる駆動用継手であって、
軸方向に沿って接続された嵌着部、挿設部及びボスを含み、前記嵌着部に前記軸方向に沿って四角柱状の嵌着孔が設けられ、前記嵌着孔が前記回転工具の駆動ヘッドに嵌着され、前記挿設部が前記軸方向に延びる四角柱部材であり、前記挿設部の径方向寸法が前記嵌着孔の径方向寸法と異なり、前記挿設部がロック工具に挿着され、前記挿設部の前記嵌着部から離れた一端に前記軸方向に沿って前記ボスが設けられ、前記ボス径方向にリング溝が凹設される本体と、
前記リング溝に嵌着され、径方向に切り欠きが設けられる弾性リテーナーリングと、を含む駆動用継手。
【請求項２】
前記挿設部の径方向寸法は前記嵌着孔の径方向寸法よりも小さい、請求項１に記載の駆動用継手。
【請求項３】
前記挿設部の径方向寸法は前記嵌着孔の径方向寸法よりも大きい、請求項１に記載の駆動用継手。
【請求項４】
前記弾性リテーナーリングはＣ字形のリテーナーリングである、請求項１に記載の駆動用継手。
【請求項５】
前記弾性リテーナーリングの内径は前記リング溝のリング壁の径方向寸法よりも大きい、請求項１に記載の駆動用継手。
【請求項６】
前記リング溝は、前記ボスの前記嵌着部に向かう一端に設けられる、請求項１〜５のいずれか１項に記載の駆動用継手。
【請求項７】
前記弾性リテーナーリングの外径は前記ボスの径方向寸法よりも大きい、請求項６に記載の駆動用継手。
【請求項８】
前記弾性リテーナーリングの外径は前記挿設部の径方向寸法よりも小さい、請求項６に記載の駆動用継手。
【請求項９】
前記ボスは円柱状である、請求項６に記載の駆動用継手。
【請求項１０】
前記ボスの径方向寸法は前記挿設部の径方向寸法よりも小さい、請求項９に記載の駆動用継手。
【請求項１１】
前記嵌着部の外壁は円筒状をなしている、請求項１に記載の駆動用継手。
【請求項１２】
前記弾性リテーナーリングは、Ｃ字形のリテーナーリングであり、
前記弾性リテーナーリングの内径は前記リング溝のリング壁の径方向寸法よりも大きく、
前記リング溝は、前記ボスの前記嵌着部に向かう一端に設けられ、
前記弾性リテーナーリングの外径は前記ボスの径方向寸法よりも大きく、
前記弾性リテーナーリングの外径は前記挿設部の径方向寸法よりも小さく、
前記ボスは円柱状であり、
前記ボスの径方向寸法は前記挿設部の径方向寸法よりも小さく、
前記嵌着部の外壁は円筒状をなしており、
前記弾性リテーナーリングの断面は円形であり、
前記挿設部の径方向寸法は前記嵌着部の径方向寸法よりも小さい、請求項２に記載の駆動用継手。
【請求項１３】
前記弾性リテーナーリングは、Ｃ字形のリテーナーリングであり、
前記弾性リテーナーリングの内径は前記リング溝のリング壁の径方向寸法よりも大きく、
前記リング溝は、前記ボスの前記嵌着部に向かう一端に設けられ、
前記弾性リテーナーリングの外径は前記ボスの径方向寸法よりも大きく、
前記弾性リテーナーリングの外径は前記挿設部の径方向寸法よりも小さく、
前記ボスは円柱状であり、
前記ボスの径方向寸法は前記挿設部の径方向寸法よりも小さく、
前記嵌着部の外壁は円筒状をなしており、
前記弾性リテーナーリングの断面は円形であり、
前記挿設部の径方向寸法は前記嵌着部の径方向寸法よりも小さい、請求項３に記載の駆動用継手。
【考案の詳細な説明】
【技術分野】
【０００１】
本考案は、駆動用継手に関する。
【背景技術】
【０００２】
一般的にロック作業を行う時、人力を節約するために空圧式又は電動式で駆動される回転工具が使用され、従来の回転工具は、駆動ヘッドを有し、異なる寸法のスリーブを装着してロック作業を行うことができる。しかしながら、従来回転工具の駆動ヘッドが単一の寸法であるが、スリーブは、様々な作業要求により異なるスリーブを駆動ヘッドに装着するための組立孔が様々な寸法を有しており、該組立孔の寸法が駆動ヘッドと合致しない時、使用することができず、駆動ヘッドを種々の寸法のスリーブに対応させるために、種々の仕様の回転工具を用意する必要があり、それにより、複数の回転工具を購入するには多くのお金を費やす必要があり、且つ複数の回転工具は、収納及び作業環境の大きさの制限で大きな問題となり、改善すべき欠点がある。
【０００３】
そのため、上記の問題を解決するために、新規で進歩性のある駆動用継手を提供する必要がある。
【考案の概要】
【考案が解決しようとする課題】
【０００４】
本考案の主な目的は、該駆動ヘッドに装着されることにより、組立孔が該駆動ヘッドと異なる規格寸法のロック工具を接続するために設けられる駆動用継手を提供することである。
【課題を解決するための手段】
【０００５】
上記の目的を達成するために、本考案は、回転工具の駆動ヘッドに用いられる駆動用継手を提供し、本体及び弾性リテーナーリングを含む。該本体は、軸方向に沿って接続された嵌着部、挿設部及びボスを含み、該嵌着部には該軸方向に沿って四角柱状の嵌着孔が設けられ、該嵌着孔は該回転工具の駆動ヘッドに嵌着され、該挿設部は、該軸方向に延びる四角柱部材であり、該挿設部の径方向寸法は該嵌着孔の径方向寸法と異なり、該挿設部はロック工具に挿着され、該挿設部の該嵌着部から離れた一端には該軸方向に沿ってボスが設けられ、該ボス径方向にはリング溝が凹設される。該弾性リテーナーリングは、該リング溝に嵌着され、径方向に切り欠きが設けられる。
【図面の簡単な説明】
【０００６】
【図１】図１は、本考案の好ましい実施例の斜視図である。
【図２】図２は、本考案の好ましい実施例の斜視図である。
【図３】図３は、本考案の好ましい実施例の分解図である。
【図４】図４は、本考案の好ましい実施例の組立模式図である。
【図５】図５は、本考案の別の好ましい実施例の斜視図である。
【考案を実施するための形態】
【０００７】
以下、実施例を用いて本考案の可能な実施形態を説明するが、本考案の保護範囲を制限するものではないことを事前に説明する。
【０００８】
図１〜図４を参照する。それらは本考案の好ましい実施例を示し、本考案の駆動用継手は、回転工具９の駆動ヘッドに用いられ、本体１及び弾性リテーナーリング２を含む。
【０００９】
該本体１は、軸方向に沿って接続された嵌着部１１、挿設部１２及びボス１４を含み、該嵌着部１１には、該軸方向に沿って四角柱状の嵌着孔１３が設けられ、該嵌着孔１３は該回転工具９の駆動ヘッドに嵌着され、該挿設部１２は、該軸方向に延びる四角柱部材であり、該挿設部１２の径方向寸法は該嵌着孔１３の径方向寸法と異なり、該挿設部１２はロック工具８に挿着され、該挿設部１２の該嵌着部１１から離れた一端には、該軸方向に沿ってボス１４が設けられ、該ボス１４の径方向にはリング溝１５が凹設される。
【００１０】
該弾性リテーナーリング２は、該リング溝１５に嵌着されて径方向に切り欠き２１が設けられ、該弾性リテーナーリング２は、弾性変形により該ロック工具８の内壁に当接して該ロック工具８が該嵌着部１１により強固に嵌着され、それにより、該嵌着部１１と該ロック工具８とが互いに揺れることを防止することができる。
【００１１】
本実施例では、該ロック工具８はスリーブであり、実際の使用時、該嵌着部１１の嵌着孔１３が該回転工具９の駆動ヘッドに嵌着されて且つ該挿設部１２が該ロック工具８に挿着されることにより、該駆動用継手は、該スリーブと該回転工具９の駆動ヘッドとを連動させ、接続機能を成功に達成し、該回転工具９の駆動ヘッドの規格寸法と合致しない該ロック工具８に使用することができる。
【００１２】
本実施例では、該挿設部１２の径方向寸法は、該嵌着孔１３の径方向寸法よりも大きく、それにより、規格寸法が該回転工具９の駆動ヘッドよりも大きいロック工具８に用いられる。他の実施例では、本体１Ａの挿設部１２Ａの径方向寸法は、該嵌着孔１３の径方向寸法よりも小さくなってもよい（図５に示すように）。
【００１３】
具体的には、該弾性リテーナーリング２はＣ字形のリテーナーリングであり、該リング溝１５に比較的容易に嵌着される。本実施例では、該弾性リテーナーリング２の内径が該リング溝１５のリング壁の径方向寸法よりも大きく、該弾性リテーナーリング２の外径が該ボス１４の径方向寸法よりも大きく、それにより、該弾性リテーナーリング２は外力を受けない時にリング溝１５のリング壁に完全に当接しないようにし、該挿設部１２がロック工具８に挿着される時のみ、該弾性リテーナーリング２は該ロック工具８の内壁に押し付けられて変形し、該ロック工具８の内壁に当接する。本実施例では、該弾性リテーナーリング２の断面は、円形であり、製造時に比較的便利である。
【００１４】
本実施例では、該リング溝１５は、該ボス１４の該嵌着部１１に向かう一端に設けられ、且つ該弾性リテーナーリング２の外径は、該挿設部１２の径方向寸法よりも小さい。
【００１５】
さらに、該ボス１４は、円柱状であり、該ボス１４の径方向寸法は該挿設部１２の径方向寸法よりも小さく、該ロック工具８と該挿設部１２とが相対的に回転することを防止する。
【００１６】
ここで、該嵌着部１１の外壁は、円筒状をなしており、該挿設部１２の径方向寸法は該嵌着部１１の径方向寸法よりも小さい。
【００１７】
以上のように、本考案の駆動用継手は、該嵌着部の嵌着孔が該回転工具の駆動ヘッドに嵌着されて且つ該挿設部が該ロック工具に挿着されることにより、該駆動用継手は、該スリーブと該回転工具の駆動ヘッドとを連動させ、接続機能を成功に達成し、該回転工具の駆動ヘッドの規格寸法と合致しない該ロック工具に使用することができる。
【符号の説明】
【００１８】
１、１Ａ    本体
１１    嵌着部
１２、１２Ａ    挿設部
１３    嵌着孔
１４    ボス
１５    リング溝
２    弾性リテーナーリング
２１    切り欠き
８    ロック工具
９    回転工具
【図１】
0003230444.tif 000003
【図２】
0003230444.tif 000004
【図３】
0003230444.tif 000005
【図４】
0003230444.tif 000006
【図５】
0003230444.tif 000007